(57)【要約】【目的】旅行者がデジタルカメラで旅行中に撮影した風景、物産、人物、などの映像を、ホテルなどの宿泊施設側のコンピュータにインプットし、編集ソフト、編集雛形ファイルなどを使用してホテル側の宣伝情報を組み込み、短時間に写真集として旅行者に提供するシステムの構築である。【構成】１、ホテルにコンピュータ（パソコン）を設置し、２、そのパソコンに予めインストールした編集ソフト、編集雛形ファイル（宿泊施設の宣伝情報を割り付けるスペースと、デジタルカメラで撮った映像を割りつけるスペースを備える）を使って旅行者の撮った映像を組み込み編集し、３、プリンターで出力する。この３つの構成要素で宿泊した旅行者へ旅行写真集を作成し提供するシステムとした。【選択図】      図１
2005222513.tif 000002
【特許請求の範囲】
【請求項１】
旅行者がデジタルカメラで撮影した映像データをコンピュータで編集するシステムにおいて、デジタルカメラで撮影した映像データを宿泊施設経営側が設置したコンピュータにインプットし、コンピュータにインストールした編集ソフト、およびその編集ソフトで作成した編集雛形ファイル（宿泊施設の宣伝情報を割り付けるスペースと、デジタルカメラで撮った映像を割りつけるスペースを備える）を使って映像データを編集しプリンタで出力することを特徴とする旅行写真集作成提供システム。
【発明の詳細な説明】
【技術分野】
【０００１】コンピュータ（パソコン）に旅行中撮影したデジタル写真を組み込み、編集し、プリントした写真集を提供するサービスに関する分野である。
【背景技術】
【０００２】デジタルカメラの高性能化が進み、コンピュータ（パソコン）があれば、その場でデジタルカメラで撮った写真の拡大映像を見ることができ、それをプリンタによって印刷することが可能となっている。一方、観光旅行に出かける人の多くがデジタルカメラを使うようになっているが、これら観光客の多くは、旅行中に気に入った風景や、自分の姿が入った写真を撮り、帰宅後にコンピュータ（パソコン）を介しプリンタでプリントするか、ＤＰＥ店などで印画紙にプリントしてもらいアルバムに貼るということで旅を記録するようになっている。
【発明の開示】
【発明が解決しようとする課題】
【０００３】旅行者がデジタルカメラで旅行中に撮影した風景、物産、人物、などの映像に、ホテル側の宣伝情報を組み込み、編集して短時間に旅行写真集として提供するサービスシステムの構築である。
【課題を解決するための手段】
【０００４】１、ホテルにコンピュータ（パソコン）を設置し、２、そのコンピュータ（パソコン）に予め作成しインストールした編集用雛形ファイル（宿泊施設の宣伝情報を割り付けるスペースと、デジタルカメラで撮った映像を割りつけるスペースを備える）を使って旅行者の写真を組み込み編集し、３、プリンターで出力する、以上の３構成要素で宿泊した旅行者へ旅行写真集を作成提供するシステムとした。
【発明の効果】
【０００５】旅行中の宿泊者の得る利点▲１▼旅行中にデジタルカメラで撮った旅の記録（旅行写真集）が旅行中に短時間でつくってもらえる。自宅で自分で行う編集やプリントの手間が省ける。▲２▼ホテル側が撮った宿泊地を中心とした名所、旧跡、風景などの最新情報が得られる。ホテル側の得る利点▲３▼旅行写真集の作成料が旅行中の宿泊者から得られる。ホテルの宣伝情報の入った旅行写真集は、旅行者の次回の旅のホテル選定の動機づけとなる。ホテルの反復利用者を増やす効果がある。▲４▼デジタルカメラで撮った旅行者自身の写真集は反復閲覧度が高いので、ホテル側の情報提供スペースに載せた宣伝情報の訴求効果があがる。▲５▼旅行写真集が旅行者の友達、親戚などに配られることが多いので、宣伝範囲が広まり誘客効果が大きくなる。
【発明を実施するための最良の形態】
【０００６】本発明の実施の形態について説明する。  図１は本発明を実施するための構成要素とシステムである。構成要素はそれぞれ、Ａは旅行者、１は旅行者のデジタルカメラのデータ、Ｂはホテル、２はコンピュータ（パソコン）、３はデジタルカメラのデータをコンピュータへ入力することを示す線である。４は編集用ソフト、５は編集用ソフト４でつくった編集用雛形ファイルでＳ▲１▼、Ｓ▲２▼、Ｓ▲３▼、はその種類である。６はプリンタである。７は編集し作成したプリントの配布先（旅行者）を示す線である。この１，２，４，５，６，の構成要素で旅行写真集作成提供システムが構成される。このシステムの運用は次のようになる。ホテルの係員が、旅行者がデジタルカメラで撮ったデータ１（風景、人物入りの風景など）、をホテルのコンピュータ２にインプットし、インストールされてある編集用ソフト４（例えばアドビ社製のページメーカー）によって予め作成された編集用雛形ファイル５（各  Ｓ▲１▼、Ｓ▲２▼、Ｓ▲３▼、・・・）の一つを使い、データ１を組み込み編集しプリントする。編集用雛形ファイル５には前もってホテル側の宣伝情報が割り付けてある。映像が編集ソフトで取り込まれたときに映像の解像度が低い場合は、映像処理ソフト（例えば、アドビ社製フォトショップ）を使用しで解像度を上げる。文字情報を入れるためにワープロソフトも使用する。  図２は、編集用雛形ファイル５の雛形の例を示す図である。８は雛形の割り付け面の表、９は雛形の割り付け面の裏である。この雛形の表面８には旅行写真集のタイトルの割り付けスペース１０が配置される。ここには観光地名、撮影年月日、旅行者の氏名となどが割り付けられる。８，９には、旅行者が旅行中にデジタルカメラで撮ったデータ１を割り付けるスペース１１と、ホテル側が撮った最新の宣伝情報（宿泊施設の状態、提供する料理などを中心に名所、旧跡、風景の映像など）を割りつけるスペース１２が配置される。プリントサイズは、Ａ４表裏２ページ、Ａ３二つ折り表裏４ページを主に使うことになる。  図３は、上記システムを核に通信手段１３（ブロードバンド通信など）を使用し、旅行写真集の編集データを旅行者の自宅Ｄのパソコンに送信するシステムを図にしたものである。実施形態は▲１▼通信手段１３を使用して、旅行者の写真集データをホテルＢのコンピュータから宿泊した旅行者の自宅Ｄのパソコンへ、配信ソフト（ＰＤＦなど）を使用してして送信する。旅行者の自宅では、同じ配信ソフト（ＰＤＦの場合はアクロバットリーダーでＰＤＦを開く）で開きプリントする。▲２▼旅行者の写真集データ１を、連携作業を行う支援編集工房Ｃのパソコン２から旅行者の自宅Ｄのパソコン２へ配信ソフト（ＰＤＦなど）で送信する。支援編集工房Ｃでは、各種の新しい雛形ファイルを作成しホテル側へ提供する役割を担う。点線枠（編集ソフト）および点線（雛形ファイル）でそれを示した。▲３▼ホテル側から店舗（旅行者の自宅の近くにあるＤＰＥ店など）を通信手段で結び、写真集データを配信ソフト（ＰＤＦなど）で送信する。プリントした旅行写真集を旅行者に手渡し提供する。
【産業上の利用可能性】
【０００７】旅行写真集作成提供システムは、光ファイバーによるブロードバンド通信が、全国をカバーして行われるようになれば、旅行会社などの大組織の運営でホテルをネットし全国展開することが可能となる。また、このシステムで扱う観光地の最新映像情報を、日々集積しそれをホームページ、パンフレットへ転用すれば、旅行を予定している人々へ誘客ための情報とすることができる。などが期待できる。
【図面の簡単な説明】
【０００８】
【図１】構成要素とシステム図
【図２】編集用雛形ファイルの雛形の例を示す図
【図３】旅行写真集を旅行者の自宅のパソコンに送信するシステム図
【符号の説明】
【０００９】    Ａ、旅行中の宿泊者    １、デジタルカメラのデータ    Ｂ、ホテル    ２、コンピュータ    ３、データ入力を示す線    ４、編集用ソフト    ５、編集用雛形ファイル    ６、プリンタ    ７、プリントの手渡し先を示す線    ８、雛形の割り付け面  表    ９、雛形の割り付け面  裏    １０、タイトル割り付けスペース    １１、旅行者の撮った映像の割り付けスペース    １２、ホテル側の宣伝情報の割り付けスペース      Ｃ、支援編集工房      Ｄ、旅行者の自宅      Ｅ、ＤＰＥ店    １３、通信手段（ブロードバンド）
【図１】
2005222513.tif 000003
【図２】
2005222513.tif 000004
【図３】
2005222513.tif 000005
【手続補正書】
【提出日】平成17年3月9日(2005.3.9)
【手続補正１】
【補正対象書類名】特許請求の範囲
【補正対象項目名】請求項１
【補正方法】変更
【補正の内容】
【請求項１】
＿＿＿＿デジタルカメラで撮影した映像データをコンピュータで編集するシステムにおいて、旅行者がデジタルカメラで撮影した映像データを宿泊施設経営側が設置したコンピュータにインプットし、コンピュータにインストールした編集ソフト、およびその編集ソフトで作成した編集雛形ファイル（宿泊施設の宣伝情報を割り付けるスペースと、デジタルカメラで撮った映像を割りつけるスペースを備える）を使って映像データを編集しプリンタで出力することを特徴とする旅行写真集作成提供システム。